【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
流体を移送するための結合システムであって、
第１の中央軸、第１の端部、第２の端部、および雄型部分を有する第１のハウジングと、
前記雄型部分の内部空間内に少なくとも部分的に位置し、かつ開位置と閉位置の間を移行するように構成された弁部材であって、該弁部材は、第１の端部および第２の端部と、前記弁部材の前記第１の端部と前記第２の端部の間で前記弁部材内に延びる弁通路と、前記弁部材の前記第１の端部の近くの少なくとも１つのポートと、前記弁部材の前記第１の端部の第１の嵌合表面とを備え、前記弁部材の前記第１の端部は、前記弁部材が前記閉位置にある場合に、流体が前記弁通路から前記弁部材の前記第１の端部を超えて流れることを阻止するように構成された、弁部材と、
前記弁部材を前記閉位置に付勢させるように構成された付勢部材と、
を備える第１のコネクタと、
開構成と閉構成の間を移行するように構成された第２のコネクタであって、
第２の中央軸、前記第１のハウジングの前記雄型部分を受け入れるように構成された第１の端部、および第２の端部を有する第２のハウジングと、
前記第２のハウジングの内部空間内に少なくとも部分的に位置する流体導管であって、第１の端部と、第２の端部と、前記流体導管の前記第１の端部と前記第２の端部の間で前記流体導管内に延びる導管通路と、前記流体導管の前記第１の端部近くの、前記流体導管を通って前記導管通路内に延びる少なくとも１つのポートと、前記弁部材の前記第１の嵌合表面と解放可能に嵌合するように構成された第２の嵌合表面とを有する、流体導管と、
前記第２のハウジングの内部空間内に少なくとも部分的に位置する封止要素であって、第１の端部と、第２の端部と、前記封止要素の前記第１の端部と前記第２の端部の間の付勢部分と、前記封止要素の前記第１の端部にある、前記流体導管の前記第１の端部のサイズおよび形状に対応するようにサイズ設定され形成された開口部とを有し、前記第２のコネクタが前記閉構成にある場合に、流体が前記導管通路から前記流体導管の前記少なくとも１つのポートを通って流出することを阻止するように構成される、封止要素と
を備える第２のコネクタとを備え、
前記第１のコネクタおよび前記第２のコネクタは、前記第１のコネクタが前記第２のコネクタと連結される場合に、前記弁部材が前記開位置に移行され、かつ前記第２のコネクタが前記開構成に移行されるように、互いに連結するように構成され、かつ流体が前記第１および第２のコネクタを流通する場合に、前記第１の嵌合表面および前記第２の嵌合表面の間に流体が浸透することを阻止するために、前記第１の嵌合表面の外側周囲が前記第２の嵌合表面の外側周囲に接触するように、前記第１の嵌合表面および前記第２の嵌合表面が互いに結合されるように構成される、結合システム。
【請求項２】
前記付勢部材がばねである、請求項１に記載の結合システム。
【請求項３】
前記付勢部材が可撓性チューブである、請求項１に記載の結合システム。
【請求項４】
前記流体導管が、剛性または半剛性材料から構築される、請求項１に記載の結合システム。
【請求項５】
前記雄型部分が、ＡＮＳＩ準拠雄型ルアー先端部である、請求項１に記載の結合システム。
【請求項６】
前記第２のコネクタの前記第１の端部が、ＡＮＳＩ準拠雌型ルアー先端部である、請求項５に記載の結合システム。
【請求項７】
前記流体導管の少なくとも一部分が、前記第１のコネクタが前記第２のコネクタに連結される場合に、前記第１のコネクタの前記雄型部分に入るように構成される、請求項１に記載の結合システム。
【請求項８】
前記第１の嵌合表面および前記第２の嵌合表面の少なくとも１つが、可撓性材料から構築される、請求項１に記載の結合システム。
【請求項９】
前記第１のコネクタが、少なくとも１つの係合機構を有するシュラウド部分を含み、前記少なくとも１つの係合機構は、前記第２のコネクタの結合機構と係合するように構成される、請求項１に記載の結合システム。
【請求項１０】
前記シュラウド部分が、前記第２のコネクタの前記第１の端部の近くの前記第２のコネクタの一部分の外側断面積より大きい内部断面積を有する、請求項９に記載の結合システム。
【請求項１１】
前記少なくとも１つの係合機構が、フックを有するタブであり、前記フックは、前記第２のコネクタの前記結合機構と係合するように構成される、請求項９に記載の結合システム。
【請求項１２】
前記タブが、前記少なくとも１つの係合機構を前記第２のコネクタの前記結合機構から解放することを容易にするように構成された解放構造を含む、請求項１１に記載の結合システム。
【請求項１３】
前記解放構造が、前記少なくとも１つのタブ上のドーム型突起部である、請求項１１に記載の結合システム。
【請求項１４】
前記解放構造が、前記少なくとも１つのタブから突出する少なくとも１つのリッジである、請求項１１に記載の結合システム。
【請求項１５】
前記結合機構が、前記第２のコネクタの外面上の環状チャネルである、請求項９に記載の結合システム。
【請求項１６】
前記タブが、長手方向リッジを含む、請求項１１に記載の結合システム。
【請求項１７】
前記第２のコネクタが、前記シュラウド部分が前記第２のコネクタの前記第１の端部を超えて進むことを限定するように構成された当接機構を含む、請求項９に記載の結合システム。
【請求項１８】
前記当接機構が、前記シュラウド部分の内側断面積より大きい外側断面積を有し、前記当接機構は、前記第２のコネクタの外面上に位置する１つまたは複数のフランジを備える、請求項１７に記載の結合システム。
【請求項１９】
前記流体導管の少なくとも一部分が、前記第１のコネクタが前記第２のコネクタに連結される場合に、前記第１のコネクタの前記雄型部分内に入るように構成される、請求項１に記載の結合システム。
【請求項２０】
前記第１のコネクタの前記雄型部分の少なくとも一部分が、前記第１のコネクタが前記第２のコネクタに連結される場合に、前記第２のハウジングの前記内部空間に入るように構成される、請求項１に記載の結合システム。
【請求項２１】
流体を流体供給源から流体レシーバに移送する方法であって、
前記流体供給源を第１のコネクタに連結するステップであって、前記第１のコネクタが、
第１の中央軸、第１の端部、第２の端部、および雄型部分を有する第１のハウジングであって、前記第２の端部が、前記流体供給源と封止可能に係合するように構成される、第１のハウジングと、
前記雄型部分の内部空間内に少なくとも部分的に位置し、かつ開位置と閉位置の間を移行するように構成された弁部材であって、該弁部材は、第１の端部および第２の端部と、前記弁部材内で前記弁部材の前記第１の端部と前記第２の端部の間を延びる弁通路と、前記弁部材の前記第１の端部の近くの少なくとも１つのポートと、前記弁部材の前記第１の端部の第１の嵌合表面とを備え、前記弁部材の前記第１の端部は、前記弁部材が前記閉位置にある場合に流体が前記弁通路から前記弁部材の前記第１の端部を超えて流れることを阻止するように構成された、弁部材と、
前記弁部材を前記閉位置に付勢させるように構成された付勢部材とを備える、ステップと、
前記流体レシーバを、開構成と閉構成の間を移行するように構成された第２のコネクタに連結するステップであって、前記第２のコネクタが、
第２の中央軸、前記第１のハウジングの前記雄型部分を受け入れるように構成された第１の端部、および前記流体レシーバと連結するように構成された第２の端部を有する第２のハウジングと、
前記第２のハウジングの内部空間内に少なくとも部分的に位置する流体導管であって、第１の端部と、第２の端部と、前記流体導管の前記第１の端部と前記第２の端部の間で前記流体導管内に延びる導管通路と、前記流体導管の前記第１の端部近くの、前記流体導管を通って前記導管通路内に延びる少なくとも１つのポートと、前記弁部材の前記第１の嵌合表面と解放可能に嵌合するように構成された第２の嵌合表面とを有する、流体導管と、
前記第２のハウジングの内部空間内に少なくとも部分的に位置する封止要素であって、第１の端部と、第２の端部と、前記封止要素の前記第１の端部と前記第２の端部の間の付勢部分と、前記封止要素の前記第１の端部にある、前記流体導管の前記第１の端部のサイズおよび形状に対応するようにサイズ設定され形成された開口部とを有し、前記第２のコネクタが前記閉構成にある場合に、流体が前記導管通路から前記流体導管の前記少なくとも１つのポートを通って流出することを阻止するように構成される、封止要素とを備える、ステップと、
前記第１のコネクタを前記第２のコネクタに連結するステップであって、前記第１のコネクタと前記第２のコネクタの間の連結時に、前記弁部材が前記閉位置から前記開位置に移行し、かつ前記第２のコネクタが前記開構成に移行する、ステップと
前記流体を前記流体供給源から、前記第１のコネクタを通り、前記第２のコネクタを通って前記流体レシーバ内に移送するステップと、
前記第１のコネクタを前記第２のコネクタから連結解除するステップであって、前記第１の嵌合表面および前記第２の嵌合表面が、互いからの連結解除後も前記流体を有さないままである、ステップとを含む、方法。
【請求項２２】
前記流体供給源を前記第１のコネクタの前記第２の端部に連結するステップが、前記流体供給源の雄型ルアー連結部を前記第１のコネクタの前記第２の端部に連結するステップをさらに含む、請求項２１に記載の方法。
【請求項２３】
前記流体レシーバを前記第２のコネクタの前記第２の端部に連結するステップが、前記流体レシーバの雌型ルアー連結部を前記第２のコネクタの前記第２の端部に連結するステップをさらに含む、請求項２１に記載の方法。
【請求項２４】
前記第１のコネクタの係合機構を前記第２のコネクタの結合機構に連結するステップをさらに含む、請求項２１に記載の方法。
【請求項２５】
前記第１のコネクタが前記第２のコネクタに連結される場合に、前記流体導管の少なくとも一部分を前記雄型部分に挿入するステップをさらに含む、請求項２１に記載の方法。
【請求項２６】
前記第１のコネクタが前記第２のコネクタに連結される場合に、前記雄型部分の少なくとも一部分を前記第２のコネクタの前記第１の端部に挿入するステップをさらに含む、請求項２１に記載の方法。
【請求項２７】
流体移送のための結合システムを製造する方法であって、
第１のコネクタを提供するステップであって、前記第１のコネクタが、第１の中央軸、第１の端部、第２の端部、および雄型部分を有する第１のハウジングと、前記雄型部分の内部空間内に少なくとも部分的に位置し、かつ開位置と閉位置の間を移行するように構成された弁部材であって、該弁部材は、第１の端部および第２の端部と、前記弁部材の前記第１の端部と前記第２の端部の間で前記弁部材内に延びる弁通路と、前記弁部材の前記第１の端部の近くの少なくとも１つのポートと、前記弁部材の前記第１の端部の第１の嵌合表面とを備え、前記弁部材の前記第１の端部は、前記弁部材が前記閉位置にある場合に流体が前記弁通路から前記弁部材の前記第１の端部を超えて流れることを阻止するように構成された、弁部材と、前記弁部材を前記閉位置に付勢させるように構成された付勢部材とを含む、ステップと、
開構成と閉構成の間を移行するように構成された第２のコネクタを提供するステップであって、前記第２のコネクタが、第２の中央軸、前記第１のハウジングの前記雄型部分を受け入れるように構成された第１の端部、および第２の端部を有する第２のハウジングと、前記第２のハウジングの内部空間内に少なくとも部分的に位置する流体導管であって、第１の端部と、第２の端部と、前記流体導管の前記第１の端部と前記第２の端部の間で前記流体導管内に延びる導管通路と、前記流体導管の前記第１の端部近くの、前記流体導管を通って前記導管通路内に延びる少なくとも１つのポートと、前記弁部材の前記第１の嵌合表面と解放可能に嵌合するように構成された第２の嵌合表面とを有する、流体導管と、前記第２のハウジングの内部空間内に少なくとも部分的に位置する封止要素であって、第１の端部と、第２の端部と、前記封止要素の前記第１の端部と前記第２の端部の間の付勢部分と、前記封止要素の前記第１の端部にある、前記流体導管の第１の端部のサイズおよび形状に対応するようにサイズ設定され形成された開口部とを有し、前記第２のコネクタが前記閉構成にある場合に、流体が前記導管通路から前記流体導管の前記少なくとも１つのポートを通って流出することを阻止するように構成される、封止要素とを含む、ステップと、
前記第１のコネクタが前記第２のコネクタに連結される場合に、前記第２のコネクタが前記開構成に移行され、かつ前記弁部材が前記開位置に移行されるように、前記第１のコネクタの前記第１の端部を前記第２のコネクタの前記第１の端部に連結するステップとを備え、
流体が前記第１および第２のコネクタを流通する場合に、前記第１の嵌合表面および前記第２の嵌合表面の間に流体が浸透することを阻止するように、前記第１の嵌合表面および前記第２の嵌合表面は、略同じ断面を有し、かつ互いに結合されるように構成される、方法。
【請求項２８】
雌型コネクタと連結するように構成された閉鎖可能な雄型コネクタであって、
第１の中央軸、第１の端部、第２の端部、および雄型部分を有するハウジングと、
前記雄型部分の内部空間内に少なくとも部分的に位置し、かつ開位置と閉位置の間を移行するように構成された弁部材であって、該弁部材は、第１の端部および第２の端部と、前記弁部材の前記第１の端部と前記第２の端部の間で前記弁部材内に延びる弁通路と、前記弁部材の前記第１の端部の近くの少なくとも１つのポートと、前記弁部材の前記第１の端部の第１の嵌合表面とを備え、前記弁部材の前記第１の端部は、前記弁部材が前記閉位置にある場合に、流体が前記弁通路から前記弁部材の前記第１の端部を超えて流れることを阻止するように構成された、弁部材と、
前記弁部材を前記閉位置に付勢させるように構成された付勢部材とを備え、
前記第１の嵌合表面は、前記雄型コネクタが前記第２のコネクタと連結される場合に、前記弁部材が前記開位置に移行されるように、雌型コネクタ上の第２の嵌合表面と解放可能に嵌合するようにサイズ設定、および形成され、かつ、流体が前記雄型および雌型コネクタを流通する場合に、前記第１の嵌合表面および前記第２の嵌合表面の両方が流体から隔離されるように、前記第１の嵌合表面が前記第２の嵌合表面と結合されるように構成される、閉鎖可能な雄型コネクタ。
【請求項２９】
雄型コネクタと連結するように構成された閉鎖可能な雌型コネクタであって、該雌型コネクタは、開構成と閉構成の間を移行するようにさらに構成され、かつ、
第２の中央軸、第１のハウジングの雄型部分を受け入れるように構成された第１の端部、および第２の端部を有するハウジングと、
前記ハウジングの内部空間内に少なくとも部分的に位置する流体導管であって、第１の端部と、第２の端部と、前記流体導管の前記第１の端部と前記第２の端部の間で前記流体導管内に延びる導管通路と、前記流体導管の前記第１の端部近くの、前記流体導管を通って前記導管通路内に延びる少なくとも１つのポートと、嵌合表面とを有する、流体導管と、
前記ハウジングの内部空間内に少なくとも部分的に位置する封止要素であって、第１の端部と、第２の端部と、前記封止要素の前記第１の端部と前記第２の端部の間の付勢部分と、前記封止要素の前記第１の端部にある、前記流体導管の前記第１の端部のサイズおよび形状に対応するようにサイズ設定され形成された開口部とを有し、前記雌型コネクタが前記閉構成にある場合に、流体が前記導管通路から前記流体導管の前記少なくとも１つのポートを通って流出することを阻止するように構成される、封止要素とを備え、
雌型嵌合表面は、雄型コネクタの雄型嵌合表面と解放可能に嵌合するように構成され、かつ流体が前記雄型および雌型コネクタを流通する場合に、前記雄型嵌合表面または前記雌型嵌合表面のいずれかに流体が接触する可能性を低減するために、前記雌型嵌合表面と前記雄型嵌合表面の間のシール接触を維持するように、前記雌型嵌合表面が前記雄型嵌合表面と結合されるように構成される、閉鎖可能な雌型コネクタ。
【請求項３０】
医療流体を移送するための結合システムであって、該結合システムは、開放段階および閉鎖段階を有し、かつ
第１の中央軸を備えた第１のハウジングであって、雄型部分を備えた第１の端部と第２の端部とを備える、第１のハウジング、
前記雄型部分の内部空間内に少なくとも部分的に配設された弁部材であって、該弁部材は、閉鎖端部と、前記弁部材を通って延びる第１の通路と、前記弁部材の前記閉鎖端部の近くの、前記弁部材を通って前記第１の通路内に延びる少なくとも１つのポートと、前記閉鎖端部の第１の嵌合表面とを備える、弁部材、および
前記弁部材に機能的に結合された付勢部材
を備える、第１のコネクタと、
第２の中央軸を備えた第２のハウジングであって、前記雄型部分を受け入れるように構成された第１の端部と、第２の端部とを有する、第２のハウジング、
前記第２のハウジングの内部空間内に少なくとも部分的に配設された流体導管であって、閉鎖端部と、前記流体導管を通って延びる第２の通路と、前記流体導管の前記閉鎖端部近くの、前記流体導管を通って前記第２の通路内に延びる少なくとも１つのポートと、前記閉鎖端部上の、前記第１の嵌合表面と結合するように構成された第２の嵌合表面とを備える、流体導管、および
前記第２のハウジング内に配設された封止部材であって、該封止部材は、第１の端部と、第２の端部と、前記第１の端部と前記第２の端部の間の付勢部分とを備え、前記第１の端部は、前記開放段階および前記閉鎖段階の両方において開放開口部を備え、前記第１の端部のサイズおよび形状が、前記流体導管の前記閉鎖端部のサイズおよび形状に概ね対応し、前記封止部材は、流体が前記流体導管の前記少なくとも１つのポートを流通することを抑えるように構成される、封止部材
を備える、第２のコネクタとを備え、
流体が前記コネクタを流通する場合に、前記弁部材の前記閉鎖端部と前記流体導管の前記閉鎖端部の間に流体が浸透することを抑えるように、前記第１の嵌合表面および前記第２の嵌合表面は、互いに結合されるように構成される、結合システム。
【請求項３１】
医療流体を移送するための結合システムであって、該結合システムは、開放段階および閉鎖段階を有し、かつ
第１の中央軸を有する第１のハウジングであって、雄型部分を備えた第１の端部と、第２の端部とを備え、前記雄型部分は内側断面積を有する、第１のハウジング、
前記雄型部分の内部空間内に少なくとも部分的に配設された弁部材であって、断面積を有する閉鎖端部と、前記弁部材を通って間に延びる第１の通路と、前記弁部材の前記閉鎖端部の近くの、前記弁部材を通って前記第１の通路内に延びる少なくとも１つのポートと、前記閉鎖端部上の第１の嵌合表面とを備える、弁部材、および
前記弁部材に機能的に結合された付勢部材
を備える、第１のコネクタと、
第２の中央軸を備えた第２のハウジングであって、前記雄型部分を受け入れるように構成された第１の端部と、第２の端部とを備える、第２のハウジング、
前記第２のハウジングの内部空間内に少なくとも部分的に配設された流体導管であって、開放端部と、閉鎖端部と、前記開放端部と前記閉鎖端部の間に延びる第２の通路と、前記流体導管の前記閉鎖端部近くの、前記流体導管を通って前記第２の通路内に延びる少なくとも１つのポートと、前記閉鎖端部上の、前記第１の嵌合表面と結合するように構成された第２の嵌合表面とを備える、流体導管、および
前記第２のハウジング内に配設された封止部材であって、第１の端部と、第２の端部と、前記第１の端部と前記第２の端部の間の付勢部分と、前記雄型部分の前記内側断面積より大きいまたはこれと等しい前記開放段階における断面積を有する、前記封止部材の前記第１の端部上の開口部とを備える、封止部材
を備える、第２のコネクタとを備え、
流体が前記コネクタを流通する場合に、耐漏出シールを形成するように、前記第１の嵌合表面および前記第２の嵌合表面は、互いに結合されるように構成される、結合システム。
【請求項３２】
医療流体を移送するための結合システムであって、該結合システムは、開放段階および閉鎖段階を有し、かつ、
第１の中央軸を有する第１のハウジングであって、雄型部分を備えた第１端部と、第２の端部とを備える、第１のハウジング、
前記雄型部分の空間内に少なくとも部分的に配設された弁部材であって、断面積を有する閉鎖端部と、前記弁部材および前記第１のハウジングの前記第２の端部の間に延びる第１の通路と、前記弁部材の前記閉鎖端部近くの、前記弁部材を通って前記第１の通路内に延びる少なくとも１つのポートと、前記閉鎖端部上の第１の嵌合表面とを備える、弁部材、および
前記弁部材に機能的に結合された付勢部材
を備える、第１のコネクタと、
第２の中央軸を備えた第２のハウジングであって、前記雄型部分を受け入れるように構成された第１の端部と、第２の端部とを備える、第２のハウジング、
前記第２のハウジングの内部空間内に少なくとも部分的に配設された流体導管であって、開放端部と、閉鎖端部と、前記開放端部と前記閉鎖端部の間に延びる第２の通路と、前記流体導管の前記閉鎖端部近くの、前記流体導管を通って前記第２の通路内に延びる少なくとも１つのポートと、前記閉鎖端部上の、前記第１の嵌合表面と結合するように構成された第２の嵌合表面とを備える、流体導管、および
前記第２のハウジング内に配設された封止部材であって、第１の端部と、第２の端部と、前記第１の端部と前記第２の端部の間の付勢部分と、前記弁部材の前記断面積より大きいまたはこれと等しい開放段階における断面積を有する、前記封止部材の前記第１の端部上の開口部とを備える、封止部材
を備える、第２のコネクタとを備え、
流体が前記コネクタを流通する場合に、前記第１の嵌合表面および前記第２の嵌合表面の間の前記第１の嵌合表面および前記第２の嵌合表面の周囲に流体が通ることを妨げるように、前記第１の嵌合表面および前記第２の嵌合表面は、互いに結合されるように構成される、結合システム。
【請求項３３】
医療流体を移送するための医療システムであって、
第１の中央軸を備えた第１のハウジングであって、雄型部分を有する第１の端部と、第２の端部とを備える、第１のハウジング、
前記雄型部分の内部空間内に少なくとも部分的に配設された弁部材であって、閉鎖端部と、前記弁部材を通って延びる第１の通路と、前記弁部材の前記閉鎖端部近くの、前記弁部材を通って前記第１の通路内に延びる少なくとも１つのポートと、前記閉鎖端部上の第１の嵌合表面とを備える、弁部材、および
前記弁部材に機能的に結合された付勢部材
を備える、第１のコネクタと、
第２の中央軸を備えた第２のハウジングであって、前記雄型部分を受け入れるように構成された第１の端部と、第２の端部とを備える、第２のハウジング、
前記第２のハウジングの内部空間内に少なくとも部分的に配設された流体導管であって、閉鎖端部と、前記流体導管を通って延びる第２の通路と、前記流体導管の前記閉鎖端部の近くの、前記流体導管を通って前記第２の通路内に延びる少なくとも１つのポートと、前記閉鎖端部上の、前記第１の嵌合表面と結合するように構成された第２の嵌合表面とを備える、流体導管、および
前記第２のハウジング内に配設され、かつ流体が前記流体導管の前記少なくとも１つのポートを流通することを抑えるように構成された封止要素であって、付勢部分を含む、封止要素
を備える、第２のコネクタとを備え、
前記第１の嵌合表面および前記第２の嵌合表面の一方は、突起部を含むとともに、前記第１の嵌合表面および前記第２の嵌合表面の他方は、相補的な空洞を備え、前記突起部および前記相補的な空洞は、雄型および雌型コネクタの前記嵌合表面の位置合わせに役立ち、流体が前記コネクタを流通する場合に、前記第１の嵌合表面および前記第２の嵌合表面の間に流体が浸透することを抑えるように、前記第１の嵌合表面および前記第２の嵌合表面は、互いに結合されるように構成される、医療システム。